(57)【要約】【課題】上端に収納物を収納する開口部を備えている合成樹脂製のバックであって、当該バック表面の外側上端及び、同バッグ裏面の外側上端側の対応する位置に、表側ループハンドル及び裏側ループハンドルの基端部がそれぞれ取り付け固定されているバックを提供する。【解決手段】上端に収納物を収納する開口部を備えている合成樹脂製のバックであって、当該バック表面の外側上端及び、同バッグ裏面の外側上端側の対応する位置に、表側ループハンドル及び裏側ループハンドルの基端部がそれぞれ取り付け固定されているバック。【選択図】図１
2020097444.tif 000002
【特許請求の範囲】
【請求項１】
上端に収納物を収納する開口部を備えている合成樹脂製のバックであって、
当該バック表面の外側上端及び、同バッグ裏面の外側上端側の対応する位置に、表側ループハンドル及び裏側ループハンドルの基端部がそれぞれ取り付け固定されているバック。
【請求項２】
前記上端に対向する下端で横方向に伸びている底辺部に折り込み部が備えられていて、前記低辺部の両端から前記上端に向かってそれぞれ伸びる両横辺部はシールされている請求項１記載のバック。
【請求項３】
前記バックは、透明あるいは半透明であって、前記開口部に封印部が備えられている請求項１記載のバック。
【請求項４】
前記封印部は、横方向に伸びている前記開口部の上端辺部を前記横方向に伸びていて、表面に粘着剤層が形成されているシール片部と、当該シール片部の上に積層されている剥離片とからなる請求項３記載のバック。
【請求項５】
前記上端に対向する下端で横方向に伸びている底辺部がシールされていて、前記低辺部の両端から前記上端に向かってそれぞれ伸びる両横辺部に折り込み部が備えられている請求項１記載のバック。
【請求項６】
前記バックは、透明あるいは半透明であって、前記開口部に封印部が備えられている請求項５記載のバック。
【請求項７】
前記封印部は、前記開口部の上端辺部を横方向に伸びていて、表面に粘着剤層が形成されているシール片部と、当該シール片部の上に積層されている剥離片とからなり、
前記シール片部と前記剥離片とに、前記横方向に間隔を空けた２か所で、前記開口部の上端縁から下方向に向かって伸びる２本の切込みが前記シール片部及び前記剥離片における上下方向の途中にまで形成されており、
前記剥離片には、前記２本の切込みの下端を結んで、前記剥離片を前記横方向に伸びる切除用スリットが形成されている
請求項６記載のバック。
【請求項８】
前記２本の切込みは、前記両横辺部にそれぞれ備えられている前記折り込み部の前記横方向における前記表面部及び前記裏面部の内側で上下方向に伸びる折り曲げ部が存在している位置に対応している前記横方向の位置でそれぞれ形成されている請求項７記載のバック。
【請求項９】
前記２本の切込みは、上端から下端に向かうにしたがって、前記横方向における外側から内側に向かう方向に傾斜している請求項７又は８記載のバック。
【発明の詳細な説明】
【技術分野】
【０００１】
この発明は、包装用袋に関し、特に、合成樹脂製の取手付の袋に関する。
【背景技術】
【０００２】
従来、合成樹脂製の取手付の袋では、ループハンドルのような合成樹脂製の取手は、その基端部が袋の内側で溶着、等によって取り付け、固定されるものが通常であった。
【先行技術文献】
【特許文献】
【０００３】
【特許文献１】特開２０１８−１６３４３号公報
【特許文献２】実用新案登録第３２０６８２２号公報
【発明の概要】
【発明が解決しようとする課題】
【０００４】
この発明は、上端に収納物を収納する開口部を備えている合成樹脂製のバックであって、当該バック表面の外側上端及び、同バッグ裏面の外側上端側の対応する位置に、表側ループハンドル及び裏側ループハンドルの基端部がそれぞれ取り付け固定されているバックを提案することを目的にしている。
【課題を解決するための手段】
【０００５】
［１］
上端に収納物を収納する開口部を備えている合成樹脂製のバックであって、
当該バック表面の外側上端及び、同バッグ裏面の外側上端側の対応する位置に、表側ループハンドル及び裏側ループハンドルの基端部がそれぞれ取り付け固定されているバック。
【０００６】
［２］
前記上端に対向する下端で横方向に伸びている底辺部に折り込み部が備えられていて、前記低辺部の両端から前記上端に向かってそれぞれ伸びる両横辺部はシールされている［１］のバック。
【０００７】
［３］
前記バックは、透明あるいは半透明であって、前記開口部に封印部が備えられている［１］のバック。
【０００８】
［４］
前記封印部は、横方向に伸びている前記開口部の上端辺部を前記横方向に伸びていて、表面に粘着剤層が形成されているシール片部と、当該シール片部の上に積層されている剥離片とからなる［３］のバック。
【０００９】
［５］
前記上端に対向する下端で横方向に伸びている底辺部がシールされていて、前記低辺部の両端から前記上端に向かってそれぞれ伸びる両横辺部に折り込み部が備えられている［１］のバック。
【００１０】
［６］
前記バックは、透明あるいは半透明であって、前記開口部に封印部が備えられている［５］のバック。
【００１１】
［７］
前記封印部は、前記開口部の上端辺部を横方向に伸びていて、表面に粘着剤層が形成されているシール片部と、当該シール片部の上に積層されている剥離片とからなり、
前記シール片部と前記剥離片とに、前記横方向に間隔を空けた２か所で、前記開口部の上端縁から下方向に向かって伸びる２本の切込みが前記シール片部及び前記剥離片における上下方向の途中にまで形成されており、
前記剥離片には、前記２本の切込みの下端を結んで、前記剥離片を前記横方向に伸びる切除用スリットが形成されている
［６］のバック。
【００１２】
［８］
前記２本の切込みは、前記両横辺部にそれぞれ備えられている前記折り込み部の前記横方向における前記表面部及び前記裏面部の内側で上下方向に伸びる折り曲げ部が存在している位置に対応している前記横方向の位置でそれぞれ形成されている［７］のバック。
【００１３】
［９］
前記２本の切込みは、上端から下端に向かうにしたがって、前記横方向における外側から内側に向かう方向に傾斜している［７］又は［８］のバック。
【発明の効果】
【００１４】
この発明によれば、上端に収納物を収納する開口部を備えている合成樹脂製のバックであって、当該バック表面の外側上端及び、同バッグ裏面の外側上端側の対応する位置に、表側ループハンドル及び裏側ループハンドルの基端部がそれぞれ取り付け固定されているバックを提供することができる。
【図面の簡単な説明】
【００１５】
【図１】この発明のバックの一例を表す図であって、（ａ）は正面図、（ｂ）は背面図。
【図２】この発明のバックの他の一例を表す図であって、（ａ）は正面図、（ｂ）は背面図。
【図３】図２図示の実施形態のバックがセキュリティバックとして使用される場合の一例を表す図であって、（ａ）は正面図、（ｂ）は開口部から収容部を収容しようとする状態を説明する一部を省略した斜視図、（ｃ）は収容物を収容し封印を行った状態を説明する斜視図。
【図４】この発明のバックの他の一例を表す図であって、（ａ）は正面図、（ｂ）は背面図。
【図５】図４図示のバックにおける封印部を説明する一部を省略した図であって、（ａ）は剥離片が粘着剤層を介して積層されていない状態のシール片部、（ｂ）はシール片部の上に粘着剤層を介して積層された状態の剥離片を表す図。
【図６】（ａ）、（ｂ）、（ｃ）、（ｄ）は、図４図示のバックに収容物を収納、収容する工程の一例を一部を省略して説明する図。
【図７】（ａ）、（ｂ）、（ｃ）、（ｄ）は、図６図示の工程に引き続いて、図４図示のバックに収容物を収納、収容する工程の一例を一部を省略して説明する図。
【図８】（ａ）、（ｂ）は、図７図示の工程に引き続いて、図４図示のバックの開口部の封止が終り、持ち運びを行う状態を一部を省略して説明する図。
【発明を実施するための形態】
【００１６】
（実施の形態１）
図１図示のバック１は、上端（図１の上側の端）に収納物を収納する開口部７を備えている合成樹脂製のバックである。合成樹脂製のバック１は、透明あるいは半透明のバックにすることができる。
【００１７】
バック１の外側である表面部８の上端側に表側ループハンドル１０の基端部１２ａ、１２ｂが、溶着、等によって、取り付け固定されている（図１（ａ））。
【００１８】
同様に、バック１の外側にあたる、裏面部９の上端側に裏側ループハンドル１１の基端部１３ａ、１３ｂが、溶着、等によって、取り付け固定されている（図１（ｂ））。
【００１９】
合成樹脂製の表側ループハンドル１０、裏側ループハンドル１１は、同一の形状、構造、長さである。
【００２０】
表側ループハンドル１０の基端部１２ａ、１２ｂが表面部８の上端側に取り付け固定されている位置と、裏側ループハンドル１１の基端部１３ａ、１３ｂが裏面部９の上端側に取り付け固定されている位置とは図示のようにそれぞれ対応している。
【００２１】
上述した形態、構造からなる表側ループハンドル１０、裏側ループハンドル１１のような取手が取り付けられている合成樹脂製の取手付の袋では、従来は、ループハンドルのような合成樹脂製の取手は、その基端部が袋の内側で溶着、等によって取り付け、固定されるものが通常であった。
【００２２】
この実施形態では、合成樹脂製の取手（表側ループハンドル１０、裏側ループハンドル１１）を、バック１の外側である表面部８、裏面部９の上端側にそれぞれ取り付けたものである。
【００２３】
バック１の上端に対向する下端で横方向に伸びている底辺部２、低辺部２の両端から上端に向かってそれぞれ伸びる横辺部３、４はいずれもシールされている、いわゆる、サイドシール・ボトムシールの形態・構造にすることができる。
【００２４】
あるいは、底辺部２に折りこみ部が備えられていて、横辺部３、４はシールされている、いわゆる、サイドシール・ボトムマチの形態・構造にすることもできる。また、底辺部２はシールされていて、横辺部３、４が折りこみ部を備えている、いわゆる、ボトムシール・サイドマチの形態・構造にすることもできる。更に、底辺部２が折りこみ部を備えていると共に、横辺部３、４にも折りこみ部が備えられている、いわゆる、ボトムマチ・サイドマチの形態・構造にすることもできる。いすれも、バック１内に収容できる容量を大きくする形態、構造である。
【００２５】
この実施形態のような合成樹脂製の取手付袋では、従来は、ループハンドル１０、１１のような合成樹脂製の取手は、その基端部が袋の内側で溶着、等によって取り付け、固定されるものが通常であった。この実施形態では、敢て、ループハンドル１０、１１の基端部１２ａ、１２ｂ、１３ａ、１３ｂを、袋の外側である、表面部８、表面部９に、溶着、等によって取り付け、固定したものである。
【００２６】
現在、合成樹脂製の取手(ループハンドル）付袋において、このように合成樹脂製の取手を、袋の外側に、溶着、等によって取り付け、固定されたものは現存しないばかりか、過去にもその存在を確認できない。  
（実施の形態２）
図２図示のバック１は、実施の形態１のバック１が、透明あるいは半透明であって、開口部７を封印する封印部１９が開口部７に備えられているものである。
【００２７】
図１図示のバック１と共通している部分には共通の符号をつけてその説明を省略する。
【００２８】
封止部１９は、表面に粘着剤層（不図示）が形成されているシール片部３０と、シール片部３０の上に粘着剤層（不図示）を介して積層されている剥離片３１とを備えている。シール片部３０は、開口部７における上端辺部を、図２（ａ）、（ｂ）において左右方向である、横方向に伸びている。粘着剤層（不図示）を形成すべくシール片部３０の表面に塗布される粘着剤及び、剥離片３１としては、いずれも、この技術分野で公知のものを用いることができる。
【００２９】
この実施形態のバック１に、商品、荷物、等の収納物を収納、収容、包装する場合、表側ループハンドル１０、裏側ループハンドル１１を持つ、等して開口部７を広くあける。その状態で、収納物を収納、収容する。
【００３０】
その後、剥離片３１を、表面に粘着剤層（不図示）が形成されているシール片部３０から引きはがし（図２（ａ））、シール片部３０を、表面部８側へ折り曲げ、粘着剤層（不図示）の粘着力を利用して、シール片部３０を表面部８の表面に貼りつけて封印を行う。
【００３１】
このようにして、収納物の収納、収容、包装を行った後は、表側ループハンドル１０、裏側ループハンドル１１を持って、任意に持ち運びを行うことができる。
【００３２】
この実施形態のバック１では、封止部１９を形成するシール片部３０の表面上に粘着剤を塗布して粘着剤層を形成する工程が必要になるが、製袋時の工程で、自動的に粘着剤層を形成する工程を行うことができるので有利である。
【００３３】
透明あるいは半透明のバックであって、上端の開口部を封印する封印部を備えているものとして免税手続を行った商品、等を収納、包装するセキュリティバック（免税袋）が従来から知られている。外国人旅行者が日本国内で購入し、免税手続を行った商品、等を包装用の袋に収納、包装する場合に使用する合成樹脂製の袋（以下、「セキュリティバック」という）である。
【００３４】
このセキュリティバックに関しては、次のような条件が満たされることが要求されている 
（１）出国までに破損しない十分な強度を有すること
（２）開封した場合に開封したことがわかるシールで封印すること
（３）包装の内容物や戸数が確認できること。袋の場合には、透明、ほとんど透明であること
（４）出国まで開封しないこと等を日本語及び外国語で注意喚起する記載又は記載した書面を貼りつけること。
【００３５】
そこで、この実施形態において、封印部１９を、開口部７を開封した場合に開封したことがわかるシールで封印する形態にすれば、この実施形態のバック１をセキュリティバックとして使用することが可能になる。
【００３６】
この場合、粘着剤層に使用される接着剤としては、「開封した場合に開封したことがわかるシールで封印する」というセキュリティバックに要求される条件を満たす、この技術分野で使用されている接着剤を用いることになる。
【００３７】
実施の形態１で説明したように、従来、合成樹脂製の取手付袋では、ループハンドル１０、１１のような合成樹脂製の取手は、その基端部が袋の内側で溶着、等によって取り付け、固定されるものが通常であった。
【００３８】
合成樹脂製の取手付の袋において、従来からあるように、ループハンドルのような合成樹脂製の取手の基端部が袋の内側で溶着、等によって取り付け、固定されていると、その形状から開口部の封印が実務的に難しかった。このため、取手の基端部が袋の内側で取り付け、固定されている従来の取手付の袋の場合、セキュリティバッグとして使用することは難しかった。
【００３９】
この実施形態では、合成樹脂製の取手付袋において、ループハンドル１０、１１の基端部１２ａ、１２ｂ、１３ａ、１３ｂを、あえて、袋の外側である、表面部８、表面部９に、溶着、等によって取り付け、固定し、上端の開口部７に上述した構成、構造の封印部を配備した。そこで、大容量で持ちやすく、強度的に優れていてファッション性も向上している合成樹脂製の取手付袋を、実用的で扱い易く、完全に封印のできるセキュリティバックとして応用できるようにすることができた。
【００４０】
（実施の形態３）
図３図示のバック１は、実施の形態２のバック１が、底辺部２に折りこみ部２ａを備えていて、横辺部３、４はシールされている、いわゆる、サイドシール・ボトムマチの形態・構造になっているものである（図３（ａ））。
【００４１】
図１、図２図示のバック１と共通している部分には共通の符号をつけてその説明を省略する。
【００４２】
この実施形態のバック１に、商品、荷物、等の収納物２１を収納、収容、包装する場合、表側ループハンドル１０、裏側ループハンドル１１を持つ、等して開口部７を広くあける（図３（ｂ））。その状態で、収納物２１を収納、収容する（図３（ｃ））。
【００４３】
図示の実施形態では、低辺部２が折り込み部２ａを備えている、いわゆるボトムマチの袋であることから、大容量であって多くの商品、荷物、等の収納物を収納、収容、包装することが可能である。
【００４４】
その後、剥離片３１を、表面に粘着剤層（不図示）が形成されているシール片部３０から引きはがし、シール片部３０を、表面部８側へ折り曲げ、粘着剤層の粘着力を利用して、シール片部３０を表面部８の表面に貼りつけて封印を行う（図３（ｃ））。
【００４５】
このようにして、収納物の収納、収容、包装を行った後は、表側ループハンドル１０、裏側ループハンドル１１を持って、任意に持ち運びを行うことができる。
【００４６】
表側ループハンドル１０、裏側ループハンドル１１の基端部１２ａ、１２ｂ、基端部１３ａ、１３ｂは、表面部８、裏面部９の表側（外側）に装着されているので、上述した、収納物２１の収納、収容、包装を、開口部７を介して行うことが簡単、容易である。
【００４７】
そして、表側ループハンドル１０、裏側ループハンドル１１を用いたことにより、持ちやすく、強度に優れ、ファッション性も大幅に向上したものになった。
【００４８】
この実施の形態でも、封印部１９における粘着剤層に使用される接着剤として、「開封した場合に開封したことがわかるシールで封印する」というセキュリティバックに要求される条件を満たす、この技術分野で使用されている接着剤を用いると、この実施形態のバックをセキュリティバックとして使用できる。
【００４９】
合成樹脂製の取手付袋において、ループハンドル１０、１１の基端部１２ａ、１２ｂ、１３ａ、１３ｂを、あえて、袋の外側である、表面部８、表面部９に、溶着、等によって取り付け、固定し、上端の開口部７に上述した構成、構造の封印部を配備した。そこで、大容量で持ちやすく、強度的に優れていてファッション性も向上している合成樹脂製の取手付袋を、実用的で扱い易く、完全に封印のできるセキュリティバックとして応用できるようにすることができた。
【００５０】
（実施の形態３）
図４〜図８は、実施の形態２のバック１が、底辺部２はシールされていて、横辺部３、４がそれぞれ折りこみ部５、６を備えている、いわゆる、ボトムシール・サイドマチの形態・構造になっているものである。
【００５１】
図１、図２図示のバック１と共通している部分には共通の符号をつけてその説明を省略する。
【００５２】
図４（ａ）、（ｂ）においてバック１の上端に収納物を収納する開口部７が形成されている。バック１の下端にあたる底辺部２はシールされている。図４（ａ）、（ｂ）において左右方向である、横方向に伸びる底辺部２の両端から上方向に向かってそれぞれ横辺部３、４が伸びている。横辺部３、４には、それぞれ、折り込み部５、６が備えられている。このようなバック１は、いわゆる両サイドにマチが備えられているボトムシールの袋である。
【００５３】
この実施形態の封印部１９は、表面に粘着剤層１５が形成されているシール片部１４と、シール片部１４の上に積層されている剥離片１６とを備えている。
【００５４】
後述するように、シール片部１４には、その領域に応じて、シール片部１４ａ、シール片部１４ｂ、シール片部１４ｃが存在している。シール片部１４ａ、シール片部１４ｂ、シール片部１４ｃの全体からなるシール片部をシール片部１４として説明する。
【００５５】
また、後述するように、剥離片１６には、その領域に応じて、剥離片部１６ａ、剥離片部１６ｂ、剥離片部１６ｃ、剥離片部１６ｄが存在している。剥離片部１６ａ、剥離片部１６ｂ、剥離片部１６ｃ、剥離片部１６ｄの全体からなる剥離片を剥離片１６として説明する。
【００５６】
シール片部１４は、開口部７における上端辺部を、図４（ａ）、（ｂ）において左右方向である、横方向に伸びている。
【００５７】
シール片部１４には、横方向に間隔を空けた２か所で、開口部７の上端縁から下方向に向かって伸びる２本の切込み１７ａ、１７ｂが、シール片部１４における上下方向の途中にまで形成されている（図５（ａ））。
【００５８】
剥離片１６にも、横方向に間隔を空けた２か所で、開口部１７の上端縁から下方向に向かって伸びる２本の切込み１８ａ、１８ｂが、剥離片１６における上下方向の途中にまで形成されている（図５（ｂ））。
【００５９】
２本の切込み１７ａ、１７ｂは、図５（ａ）図示のように、上端から下端に向かうにしたがって、横方向における外側から内側に向かう方向に傾斜している。
【００６０】
同様に、２本の切込み１８ａ、１８ｂは、図５（ｂ）図示のように、上端から下端に向かうにしたがって、横方向における外側から内側に向かう方向に傾斜している。
【００６１】
シール片部１４に粘着剤層１５を介して剥離片１６が積層されている状態で、シール片部１４に切込み１７ａ、１７ｂが形成されている位置及び、剥離片１６に切込み１８ａ、１８ｂが形成されている位置は同一であり、切込み１７ａ、１７ｂが上下方向に伸びる長さと、切込み１８ａ、１８ｂが上下方向に伸びる長さとは同一である。
【００６２】
シール片部１４に形成されている２本の切込み１７ａ、１７ｂは、横辺部３、４にそれぞれ備えられている折り込み部５、６の横方向における表面部８及び裏面部９の内側で上下方向に伸びる折り曲げ部５ａ、６ａが存在している位置に対応している横方向の位置でそれぞれ形成されている（図４（ａ））。
【００６３】
剥離片１６に形成されている２本の切込み１８ａ、１８ｂも、横辺部３、４にそれぞれ備えられている折り込み部５、６の横方向における表面部８及び裏面部９の内側で上下方向に伸びる折り曲げ部５ａ、６ａが存在している位置に対応している横方向の位置でそれぞれ形成されている（図４（ａ））。
【００６４】
剥離片１６には、図５（ｂ）図示のように、２本の切込み１８ａ、１８ｂの下端を結んで、剥離片１６を横方向に伸びる切除用スリット２０が形成されている。
【００６５】
切込み１８ａ、１８ｂ、切除用スリット２０が剥離片１６に形成されていることから、剥離片１６における剥離片部１６ｃのみを引きはがして、この部分におけるシール片部１４ｃの粘着剤層１５のみを封印のために露出させることができる。同様に、剥離片１６における剥離片部１６ａのみを引きはがして、この部分におけるシール片部１４ａの粘着剤層１５のみを封印のために露出させることができる。更に、剥離片１６における剥離片部１６ｂのみを引きはがして、この部分におけるシール片部１４ｂの粘着剤層１５のみを封印のために露出させることができる。
【００６６】
以上に説明したように、この実施形態のバック１は、上端に収納物を収納する開口部７が形成され、下端側の底辺部２がシールされていて、横方向に伸びている低辺部２の両端から上端向に向かってそれぞれ伸びる横辺部３、４にそれぞれ折り込み部５、６が備えられている、いわゆる、サイドマチの透明あるいは半透明の合成樹脂製袋である。このようなサイドマチの合成樹脂製の袋では、従来は、ループハンドル１０、１１のような合成樹脂製の取手は、その基端部が袋の内側で溶着、等によって取り付け、固定されるものが通常であった。この実施形態では、敢て、ループハンドル１０、１１の基端部１２ａ、１２ｂ、１３ａ、１３ｂを、袋の外側である、表面部８、表面部９に、溶着、等によって取り付け、固定したものである。
【００６７】
合成樹脂製の取手付サイドマチ袋において、このように、合成樹脂製の取手を、袋の外側に、溶着、等によって取り付け、固定したものは、従来、存在していない。
【００６８】
この実施の形態でも、封印部１９における粘着剤層に使用される接着剤として、「開封した場合に開封したことがわかるシールで封印する」というセキュリティバックに要求される条件を満たす、この技術分野で使用されている接着剤を用いると、この実施形態のバックをセキュリティバックとして使用できる。
【００６９】
この実施形態のバック１をセキュリティバックとして使用する場合、合成樹脂製の取手付サイドマチ袋において、ループハンドル１０、１１の基端部１２ａ、１２ｂ、１３ａ、１３ｂを、あえて、袋の外側である、表面部８、表面部９に、溶着、等によって取り付け、固定し、上端の開口部７に上述した構成、構造の封印部を配備することで、大容量で持ちやすく、強度的に優れていてファッション性も向上している合成樹脂製の取手付サイドマチ袋を、実用的で扱い易く、完全に封印のできるセキュリティバックとして応用できるようになる。
【００７０】
以下、図６〜図８を参照してこの実施形態のバック１に、商品、荷物、等の収納物２１を収納、収容、包装する場合の一例を説明する。
【００７１】
表側ループハンドル１０、裏側ループハンドル１１を持つ、等して開口部７を広くあける（図６（ａ））。
【００７２】
その状態で、収納物２１を収納、収容する（図６（ｂ））。セキュリティバック１は、横辺部３、４に、それぞれ、折り込み部５、６を備えている、いわゆる両サイドにマチが備えられているボトムシールの袋であることから、図示のように、大容量であって多くの商品、荷物、等の収納物を収納、収容、包装することが可能である。
【００７３】
剥離片１６における剥離片部１６ｃのみを引きはがして、この部分におけるシール片部１４ｃの粘着剤層１５のみを封印のために露出させる（図６（ｃ））。
【００７４】
図４（ｄ）図示のように、マチを形成している折り込み部６を寄せ、引き続いて、剥離片部１６ｃのみを引きはがしたことで露出している、この部分におけるシール片部１４ｃを表面部８に向けて折りたたみ、シール片部１４ｃの表面に形成されている粘着剤層１５によって貼り付け、封印を行う（図７（ａ））。
【００７５】
引き続いて、剥離片１６における剥離片部１６ａのみを引きはがして、この部分におけるシール片部１４ａの粘着剤層１５のみを封印のために露出させる。
【００７６】
図７（ｃ）図示のように、マチを形成している折り込み部５を寄せて、剥離片部１６ａのみを引きはがしたことで露出している、この部分におけるシール片部１４ａを表面部８に向けて折りたたみ、シール片部１４ａの表面に形成されている粘着剤層１５によって貼り付け、封印を行う（図７（ｃ））。
【００７７】
続いて、剥離片１６における剥離片部１６ｂのみを引きはがして、この部分におけるシール片部１４ｂの粘着剤層１５のみを封印のために露出させる（図７（ｄ））。
【００７８】
シール片部１４ｂを表面部８に向けて折りたたみ、シール片部１４ｂの表面に形成されている粘着剤層１５によって貼り付け、封印を行う（図８（ａ））。
【００７９】
このようにして、収納物２１の収納、収容、包装を行った後は、表側ループハンドル１０、裏側ループハンドル１１を持って、任意に持ち運びを行うことができる。
【００８０】
表側ループハンドル１０、裏側ループハンドル１１の基端部１２ａ、１２ｂ、基端部１３ａ、１３ｂは、表面部８、裏面部９の表側（外側）に装着されているので、上述した、収納物２１の収納、収容、包装を、開口部７を介して行うことが簡単、容易である。
【００８１】
そして、表側ループハンドル１０、裏側ループハンドル１１を用いたことにより、持ちやすく、強度に優れ、ファッション性も大幅に向上したものになった。
【００８２】
以上、添付図面を参照してこの発明の実施形態を説明したが、本発明は上述の実施形態に限られず、特許請求の範囲の記載から把握される技術的範囲において種々に変更可能である。
【符号の説明】
【００８３】
１    バック
７    開口部
２    底辺部
２ａ  折り込み部
３、４  横辺部
５、６  折り込み部
８    表面部
１０  表側ループハンドル
１２ａ、１２ｂ  基端部
９    裏面部
１１  裏側ループハンドル
１３ａ、１３ｂ  基端部
１９  封印部
１５  粘着剤層
１４、１４ａ、１４ｂ、１４ｃ  シール片部
１６、１６ａ、１６ｂ、１６ｃ、１６ｄ  剥離片
１７ａ、１７ｂ、１８ａ、１８ｂ  切込み
２０  切除用スリット
３０  シール片部
３１  剥離片
【図１】
2020097444.tif 000003
【図２】
2020097444.tif 000004
【図３】
2020097444.tif 000005
【図４】
2020097444.tif 000006
【図５】
2020097444.tif 000007
【図６】
2020097444.tif 000008
【図７】
2020097444.tif 000009
【図８】
2020097444.tif 000010